(57)【要約】【課題】遮光部品が移動鏡筒に擦れても、遮光性を損なわず特性を向上したレンズ鏡筒および撮像装置を提供することを目的としている。【解決手段】光軸方向に移動する第１移動鏡筒１２０ａと、第１移動鏡筒１２０ａの外側に配置した第２移動鏡筒１２０ｂと、第１移動鏡筒１２０ａと第２移動鏡筒１２０ｂの隙間に配置し、この隙間から入射する光を遮光するリング形状の遮光部品１２１とを備え、遮光部品は、径方向の幅よりも光軸方向の幅を大きくし、かつ、内周層である遮光リング１２２と外周層である補強板１２３を有するとともに外周層よりも内周層をより弾性力のある部材で形成し、外周層には、光軸方向に対して同方向または斜め方向に切断したスリットを設けた構成である。【選択図】図４Ａ
2011145373.tif 000002
【特許請求の範囲】
【請求項１】
光軸方向に移動する第１鏡筒と、
前記第１鏡筒の外側に配置した第２鏡筒と、
前記第１鏡筒と前記第２鏡筒の隙間に配置し、前記隙間から入射する光を遮光するリング形状の遮光部品とを備え、
前記遮光部品は、
内周層と外周層を有するとともに前記外周層よりも前記内周層をより弾性力のある部材で形成し、
前記外周層には、光軸方向に対して同方向または斜め方向に切断したスリットを設けた
レンズ鏡筒。
【請求項２】
前記遮光部品の前記内周層は、径方向の幅よりも光軸方向の幅を大きくした請求項１に記載のレンズ鏡筒。
【請求項３】
前記スリットは、前記外周層から前記内周層まで貫通させ、光軸方向に対して斜め方向に切断して設けた
請求項１に記載のレンズ鏡筒。
【請求項４】
前記外周層は、補強板とした請求項１に記載のレンズ鏡筒。
【請求項５】
請求項１〜請求項４に記載のレンズ鏡筒を用いた撮像装置。
【発明の詳細な説明】
【技術分野】
【０００１】
本発明は、遮光部品を備えたレンズ鏡筒およびそれを用いた撮像装置に関する。
【背景技術】
【０００２】
近年、ＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ−ｏｘｉｄｅ  Ｓｅｍｉｃｏｎｄｕｃｔｏｒ）等の撮像素子を用いたデジタルスチルカメラやビデオムービーの普及が著しい。一般に、これらのデジタルスチルカメラやビデオムービーには、被写体の光学像を撮像素子に結像させるためのレンズ鏡筒が取り付けられている。特に、デジタルスチルカメラでは、撮影をしない場合、レンズ鏡筒をカメラ本体に収納する沈胴式タイプが普及している。沈胴式のレンズ鏡筒は、例えば、特許文献１に開示されている。
【０００３】
特許文献１に記載されたように、沈胴式のレンズ鏡筒は、固定鏡筒と、この固定鏡筒の内側に保持された第１移動鏡筒と第２移動鏡筒とを備えている。固定鏡筒は、カメラ本体に配置され、固定鏡筒の内側に第２移動鏡筒が保持され、第２移動鏡筒の内側に第１移動鏡筒が保持されている。固定鏡筒に対して第２移動鏡筒が繰り出され、第２移動鏡筒に対して第１移動鏡筒が繰り出される。また、固定鏡筒に第２移動鏡筒が収納され、第２移動鏡筒に第１移動鏡筒が収納される。このように、固定鏡筒に対して第１、第２移動鏡筒が前方に繰り出されたり、固定鏡筒に第１、第２移動鏡筒が収納されたりする。第１、第２移動鏡筒が前方に繰り出された際は、第１移動鏡筒が最前面に繰り出される。
【０００４】
このレンズ鏡筒は、被写体の光学像のフォーカス調整やズーム調整をするための機構を備えている。例えば、光学像を取り込むためのレンズ群やズーム用のレンズ群やフォーカス用のレンズ群をレンズ鏡筒の内部に配置している。撮影をする場合、各々のレンズ群の間隔を変化させることによって、光学像のズームやフォーカスを調整している。
【０００５】
具体的には、光学像を取り込むためのレンズ群を第１のレンズ枠に取り付けて第１移動鏡筒に保持させ、ズーム用のレンズ群を第２レンズ枠に取り付けて第２の移動鏡筒に保持させ、フォーカス用のレンズ群を第３レンズ枠に取り付けて固定鏡筒に保持させている。固定鏡筒に対して第１、第２移動鏡筒を繰り出したり、第２の移動鏡筒に対してズーム用のレンズ群を光軸上に移動させたり、第３移動鏡筒に対してフォーカス用のレンズ群を光軸上に移動させたりして、各々のレンズ群の間隔を変化させている。撮影をしない場合は、第１移動鏡筒が第２移動鏡筒に収納され、第２移動鏡筒が固定鏡筒に収納され、撮像装置本体にレンズ鏡筒が収納される。
【０００６】
このような沈胴式タイプのレンズ鏡筒では、固定鏡筒に対して第１、第２移動鏡筒が繰り出されたり収納されたりするので、第１移動鏡筒と第２移動鏡筒の間や、第２鏡筒と固定鏡筒の間には隙間がある。この隙間から光が入射すると、この光を撮影素子が検出する可能性があるので、この隙間には遮光部品を配置することが多い。このような遮光部品は、例えば、特許文献２や特許文献３に開示されている。
【０００７】
図６は従来のレンズ鏡筒の断面図、図７Ａは図６のＡ部における遮光部品近傍の断面図、図７Ｂは図６のＢ部における遮光部品近傍の断面図、図８は同レンズ鏡筒に用いる遮光部品の斜視図である。図６において、従来のレンズ鏡筒１０は、固定鏡筒１１が移動鏡筒１２を保持している。この移動鏡筒１２は、第１移動鏡筒１２ａと第２移動鏡筒１２ｂと第３移動鏡筒１２ｃを有し、固定鏡筒１１に対して第３移動鏡筒１２ｃが繰り出され、第３移動鏡筒１２ｃに対して第２移動鏡筒１２ｂが繰り出され、第２移動鏡筒１２ｂに対して第１移動鏡筒１２ａが繰り出される。第１移動鏡筒１２ａと第２移動鏡筒１２ｂの隙間、および第２移動鏡筒１２ｂと第３移動鏡筒１２ｃの隙間には、図８に示すような、光を遮光する遮光部品１３が配置されている。
【０００８】
図７Ａ、図７Ｂ、図８に示すように、遮光部品１３は、光軸方向の幅よりも径方向の幅を大きくしたリング形状をしている。このような遮光部品１３の内周には、複数のスリット１４が全周に亘って配置されている。また、遮光部品１３は第１リング１３ａと第２リング１３ｂが貼り合わされて形成されている。１３ａはゴム等の弾性体であり、１３ｂはプラスチック等の非弾性体である。スリット１４は、弾性体である第１リング１３ａに配置されている。２つの第１リング１３ａが、各々、第１移動鏡筒１２ａや第２移動鏡筒１２ｂに擦れながら、第１移動鏡筒１２ａや第２移動鏡筒１２ｂや第３移動鏡筒１２ｃが繰り出されたり収納されたりする。
【先行技術文献】
【特許文献】
【０００９】
【特許文献１】特開２００８−１８５７８６号公報
【特許文献２】特開平６−２７３６５１号公報
【特許文献３】特開２００８−１９１６２１号公報
【発明の概要】
【発明が解決しようとする課題】
【００１０】
上記従来のレンズ鏡筒は、第１移動鏡筒１２ａや第２移動鏡筒１２ｂや第３移動鏡筒１２ｃが繰り出されたり収納されたりする際、遮光部品１３の第１リング１３ａに配置されたスリット１４から光が入射するという問題を有していた。
【００１１】
これは、第１リング１３ａが第１移動鏡筒１２ａや第２移動鏡筒１２ｂに擦れながら、第１移動鏡筒１２ａや第２移動鏡筒１２ｂや第３移動鏡筒１２ｃが繰り出されたり収納されたりすることに起因する。第１リング１３ａはゴム等の弾性体なので、第１移動鏡筒１２ａや第２移動鏡筒１２ｂに擦れると、第１リング１３ａの形状が変形する。この第１リング１３ａの変形にともなってスリット１４も変形するので、スリット１４の隙間が広がって光が入射されてしまう。遮光部品１３は厚みが０．１ｍｍ程度と薄く先端部分と鏡筒の接触で不要・有害光線を遮っているため鏡筒の表面状態や遮光部品１３の内径の仕上がりで漏光してしまうのである。
【００１２】
本発明は上記問題を解決し、遮光部品が移動鏡筒に擦れても、遮光性を損なわず特性を向上したレンズ鏡筒および撮像装置を提供することを目的としている。
【課題を解決するための手段】
【００１３】
上記目的を達成するために本発明のレンズ鏡筒は、光軸方向に移動する第１鏡筒と、前記第１鏡筒の外側に配置した第２鏡筒と、前記第１鏡筒と前記第２鏡筒の隙間に配置し、前記隙間から入射する光を遮光するリング形状の遮光部品とを備え、前記遮光部品は、内周層と外周層を有するとともに前記外周層よりも前記内周層をより弾性力のある部材で形成し、前記外周層には、光軸方向に対して同方向または斜め方向に切断したスリットを設けた構成である。
【００１４】
また、上記目的を達成するために本発明の撮像装置は、レンズ鏡筒を有し、前記レンズ鏡筒は、光軸方向に移動する第１鏡筒と、前記第１鏡筒の外側に配置した第２鏡筒と、前記第１鏡筒と前記第２鏡筒の隙間に配置し、前記隙間から入射する光を遮光するリング形状の遮光部品とを備え、前記遮光部品は、内周層と外周層を有するとともに前記内周層は弾性体とし前記外周層は非弾性体としており、前記外周層には、光軸方向に対して同方向または斜め方向に切断したスリットを設けた構成である。
【発明の効果】
【００１５】
本発明によれば、第１鏡筒と第２鏡筒の隙間に配置した遮光部品を有するので、隙間から入射する光を遮光できる。
【００１６】
特に、外周層よりも内周層をより弾性力のある部材で形成しているので、遮光部品が第１鏡筒や第２鏡筒に擦れて変形したとしても、内周層が第１鏡筒や第２鏡筒に適度に密着して遮光性が損なわれない。また、内周層にはスリットを設けていないので、スリットの隙間から遮光性が損なわれることもない。
【００１７】
さらに、外周層には光軸方向に対して同方向または斜め方向に切断したスリットを設けているので、遮光部品は径方向に広げることができる。すなわち、第１鏡筒の外径よりも遮光部品の内周径を小さくして、第１鏡筒の外周面に遮光部品の内周面を嵌合させるように配置すれば、遮光部品の内周層を第１鏡筒の外周に的確に密着させることができ遮光性を向上できる。
【図面の簡単な説明】
【００１８】
【図１】一実施の形態におけるレンズ鏡筒の斜視図
【図２】同レンズ鏡筒のＷｉｄｅ時の断面図
【図３】同レンズ鏡筒の沈胴時の断面図
【図４Ａ】図２のＡ部における遮光部品近傍の断面図
【図４Ｂ】図２のＢ部における遮光部品近傍の断面図
【図５】同レンズ鏡筒に用いる遮光部品の斜視図
【図６】従来のレンズ鏡筒の断面図
【図７Ａ】図６のＡ部における遮光部品近傍の断面図
【図７Ｂ】図６のＢ部における遮光部品近傍の断面図
【図８】同レンズ鏡筒に用いる遮光部品の斜視図
【発明を実施するための形態】
【００１９】
以下、一実施の形態における像ブレ補正装置を備えたレンズ鏡筒について図面を参照しながら説明する。図１は一実施の形態におけるレンズ鏡筒の斜視図、図２は同レンズ鏡筒のＷｉｄｅ時（ズーム倍率を１倍とした通常撮影時）の断面図、図３は同レンズ鏡筒の沈胴時（非撮影時）の断面図である。なお、レンズ鏡筒１００は、図示しないデジタルカメラに設けられる。
【００２０】
＜レンズ鏡筒１００の全体構成と動作について＞
レンズ鏡筒１００の全体構成と動作について説明する。図１〜図３において、レンズ鏡筒１００は、固定鏡筒１１０と、この固定鏡筒１１０の内側に保持された移動鏡筒１２０とを備えている。この移動鏡筒１２０は固定鏡筒１１０に対して前方に繰り出されたり、固定鏡筒１１０の内部に収納されたりするように移動する。
【００２１】
この移動鏡筒１２０は、第１移動鏡筒１２０ａと、第２移動鏡筒１２０ｂと、第３移動鏡筒１２０ｃとを備えている。第１移動鏡筒１２０ａの外側に第２移動鏡筒が配置され、第１移動鏡筒１２０ａは第２移動鏡筒に保持されている。第２移動鏡筒１２０ｂの外側に第３移動鏡筒が配置され、第２移動鏡筒１２０ｂは第３移動鏡筒に保持されている。第３移動鏡筒１２０ｃに対して第２移動鏡筒１２０ｂが繰り出され、第２移動鏡筒１２０ｂに対して第１移動鏡筒１２０ａが繰り出される。また、第３移動鏡筒１２０ｃに第２移動鏡筒１２０ｂが収納され、第２移動鏡筒１２０ｂに第１移動鏡筒１２０ａが収納される。このように、固定鏡筒１１０に対して第１〜第３移動鏡筒１２０ａ〜１２０ｃが前方に繰り出されたり、固定鏡筒１１０に第１〜第３移動鏡筒１２０ａ〜１２０ｃが収納されたりする。第１〜第３移動鏡筒１２０ａ〜１２０ｃが前方に繰り出された際は、第１移動鏡筒１２０ａが最前面に繰り出される。なお、第１移動鏡筒１２０ａと第２移動鏡筒１２０ｂの隙間、および第２移動鏡筒１２０ｂと第３移動鏡筒１２０ｃの隙間には、光を遮光するリング形状の遮光部品１２１が配置されている。この遮光部品１２１によって、隙間から入射する光を遮光している。
【００２２】
第１移動鏡筒１２０ａには、第１レンズ枠１３０ａを介して第１レンズ群１４０ａが保持され、第２移動鏡筒１２０ｂには、第２レンズ枠１３０ｂを介して第２レンズ群１４０ｂが保持され、固定鏡筒１１０には、第３レンズ枠１３０ｃを介して第３レンズ群１４０ｃが保持されている。第１レンズ枠１３０ａは第１移動鏡筒１２０ａに固定され、第２レンズ枠１３０ｂは第２移動鏡筒１２０ｂに光軸上に移動自在に保持され、第３レンズ枠１３０ｃは固定鏡筒１１０に光軸上に移動自在に保持されている。
【００２３】
第１〜第３レンズ群１４０ａ〜１４０ｃは、それぞれ複数枚のレンズを組み合わせて構成されており、第１レンズ群１４０ａは被写体の光学像を取り込むためのレンズ群であり、第２レンズ群１４０ｂはズーム用のレンズ群であり、第３レンズ群１４０ｃはフォーカス用のレンズ群である。撮影をする場合、第１〜第３レンズ群１４０ａ〜１４０ｃの間隔を変化させることによって、光学像のズームやフォーカスを調整している。
【００２４】
＜レンズ鏡筒１００の詳細説明について＞
次に、レンズ鏡筒１００ついて詳細に説明する。図１〜図３において、第１移動鏡筒１２０ａは、前面に第１レンズ群１４０ａを保護するためのバリアユニット１５０を備えている。このバリアユニット１５０には開閉羽１５０ａが保持されており、レンズ鏡筒が繰出されたとき開閉羽１５０ａが開き、レンズ鏡筒が収納されたときには開閉羽１５０ａが閉じて、第１レンズ群１４０ａを保護している。
【００２５】
第２移動鏡筒１２０ｂは、円筒状のカメラカム枠１６０と、このカメラカム枠１６０の内側に保持された円筒状の直進枠１７０とを備えている。この直進枠１７０の内側に第１移動鏡筒１２０ａが光軸上に移動自在に保持されるとともに、この直進枠１７０に第２レンズ枠１３０ｂが光軸上に移動自在に保持されている。カメラカム枠１６０の内面にはカム溝が形成されており、このカム溝によって、第１レンズ群１４０ａ、第２レンズ群１４０ｂを光軸方向に移動させる。直進枠１７０には直進溝が形成されており、この直進枠１７０によって、第１レンズ群１４０ａ、第２レンズ群１４０ｂを直進させる。
【００２６】
この第２レンズ枠１３０ｂはシャッターユニット１８０や手ブレ補正機構１８５や絞り機構等を備えている。シャッターユニット１８０によってズーム用の第２レンズ群１４０ｂのシャッター１８０ａを開閉し、手ブレ補正機構１８５によって手ブレ補正を行い、絞り機構によって絞りの調整をしている。シャッターユニット１８０や手ブレ補正機構１８５や絞り機構等は第２レンズ枠１３０ｂに配置した制御端子部を通じて電気的に制御される。
【００２７】
第３移動鏡筒１２０ｃは、円筒状の駆動枠２１０と、この駆動枠２１０の内側に保持された貫通カム枠２２０とを備えている。この貫通カム枠２２０の内側に第２移動鏡筒１２０ｂが光軸上に移動自在に保持されている。
【００２８】
固定鏡筒１１０は、円筒状の固定枠２３０と、この固定枠２３０に固定された円筒状のマスターフランジ２４０を備えている。この固定枠２３０の内側に第３移動鏡筒１２０ｃが光軸上に移動自在に保持されるとともに、この固定枠２３０に第３レンズ枠１３０ｃが光軸上に移動自在に保持されている。また、この固定鏡筒１１０の中心部には、赤外線遮断用のＩＲカットガラス２５０を介して撮像素子２６０が光軸上に配置されている。
【００２９】
＜遮光部品１２１の詳細説明について＞
次に、遮光部品１２１について説明する。
【００３０】
図４Ａは図２のＡ部における遮光部品近傍の断面図、図４Ｂは図２のＢ部における遮光部品近傍の断面図、図５は同レンズ鏡筒に用いる遮光部品の斜視図である。
【００３１】
図４Ａ、図４Ｂ、図５において、遮光部品１２１は、内周層と外周層を有しており、内周層として遮光リング１２２を用い、外周層として補強板１２３を用いている。内周層である遮光リング１２２も、外周層である補強板１２３も、径方向の幅よりも光軸方向の幅を大きくしている。遮光部品１２１は、全体として、径方向の幅よりも光軸方向の幅を大きくしている。
【００３２】
この遮光部品１２１の遮光リング１２２と補強板１２３とは互いに接着剤で接着固定している。遮光リング１２２は発泡ゴムやスポンジ等の弾性力のある部材で形成し、補強板１２３はＰＥＴやＰＰなどの樹脂やステンレスやアルミ等の薄い金属で形成している。内周層は外周層よりもより弾性力のある部材で形成している。なお、遮光リング１２２と補強板１２３は同一部材で形成してもよい。
【００３３】
遮光部品１２１は、第２移動鏡筒１２０ｂの先端部と第２化粧リング１２６ｂの間に保持されている。第２化粧リング１２６ｂは、第２移動鏡筒１２０ｂの先端部から光軸方向に一定の間隔を介して固定配置されている。遮光部品１２１はこの間隔に配置されて保持されている。同様に、別の遮光部品１２１が、第３移動鏡筒１２０ｃの先端部と第３化粧リング１２６ｃとの間に保持されている。
【００３４】
遮光リング１２２の内径は、第１移動鏡筒１２０ａや第２移動鏡筒１２０ｂの外径より０．１から０．３ｍｍ程度小さく加工されており、遮光リング１２２の光軸方向の厚みは０．５ｍｍ程度に加工されている。遮光リング１２２は、第１移動鏡筒１２０ａや第２移動鏡筒１２０ｂの外周部に軽い圧力で接するよう配置されている。
【００３５】
すなわち、遮光リング１２２の弾性力と内径寸法によって、遮光リング１２２の内周面は第１移動鏡筒１２０ａや第２移動鏡筒１２０ｂの外周面に密着する。この密着によって、第１移動鏡筒１２０ａと第２移動鏡筒１２０ｂの隙間および第２移動鏡筒１２０ｂと第３移動鏡筒１２０ｃの隙間から鏡筒内部に入射する可能性のある光が遮光される。つまり、撮像素子２６０に悪影響を与える不要・有害光線が遮光される。また、第１移動鏡筒１２０ａと第２移動鏡筒１２０ｂの隙間および第２移動鏡筒１２０ｂと第３移動鏡筒１２０ｃの隙間から鏡筒内部に入り込む可能性のある塵埃や砂粒等も遮断される。
【００３６】
遮光リング１２２と第１移動鏡筒１２０ａや第２移動鏡筒１２０ｂの密着性をよくするために遮光リング１２２の硬度を下げて軟らかくし過ぎると、第１移動鏡筒１２０ａや第２移動鏡筒１２０ｂの摺動に引きずられて、遮光リング１２２が鏡筒外部にはみ出してしまう可能性がある。このため、補強板１２３は、第２移動鏡筒１２０ｂと第２化粧リング１２６ｂとの間、第３移動鏡筒１２０ｃと第３化粧リング１２６ｃとの間に配置している。また、第１移動鏡筒１２０ａや第２移動鏡筒１２０ｂが摺動する際、補強板１２３が鏡筒外部にはみ出さないように、第２移動鏡筒１２０ｂと第２化粧リング１２６ｂおよび第３移動鏡筒１２０ｃと第３化粧リング１２６ｃによって、補強板１２３を挟むようにしている。
【００３７】
このとき、第２移動鏡筒１２０ｂと化粧リング１２６ｂや、第３移動鏡筒１２０ｃと化粧リング１２６ｃによって、補強板１２３を押圧するように挟みこんだり、第２移動鏡筒１２０ｂと第２化粧リング１２６ｂや、第３移動鏡筒１２０ｃと第３化粧リング１２６ｃに補強板１２３を接着したりしなくてもよい。補強板１２３は、ＰＥＴやＰＰなどの樹脂やステンレスやアルミ等の薄い金属で形成している。すなわち、第１移動鏡筒１２０ａや第２移動鏡筒１２０ｂの摺動の際、第２移動鏡筒１２０ｂの先端部や第２化粧リング１２６ｂや、第３移動鏡筒１２０ｃの先端部や第３化粧リング１２６ｃに補強板１２３が接触しても、補強板１２３はほとんど変形しないので、補強板１２３が鏡筒外部にはみ出さないからである。
【００３８】
また、図５に示すように、遮光部品１２１の遮光リング１２２と補強板１２３には、その両方を貫通するように切断したスリット２７０を設けている。このスリット２７０によって、遮光リング１２２の内径が第１移動鏡筒１２０ａや第２移動鏡筒１２０ｂの外径より小さく加工されていても、遮光リング１２２の内径を広げることができる。また、遮光リング１２２は、第１移動鏡筒１２０ａや第２移動鏡筒１２０ｂの外周部に軽い圧力で接するよう配置することができる。よって、第２移動鏡筒１２０ｂや第３移動鏡筒１２０ａと遮光リング１２２との適度な密着性を保つことができる。
【００３９】
さらに、このスリット２７０は光軸方向に対して斜め方向に設けることで、第１移動鏡筒１２０ａと第２移動鏡筒１２０ｂの隙間や、第２移動鏡筒１２０ｂと第３移動鏡筒１２０ｃとの隙間から入射する可能性のある光が遮光される。
【００４０】
なお、上述のように、遮光リング１２２と補強板１２３の両方にスリット２７０を設けずに、補強板１２３にのみを切断してスリット２７０を設ける場合は、光軸方向と同方向または斜め方向のいずれかの方向に設けておけばよい。補強板１２３にのみスリット２７０を設けた場合は、遮光リング１２２は弾性力を有する部材なので、遮光リング１２２の内径を大きく広げることができるとともに、スリット２７０のない遮光リング１２２が第１移動鏡筒１２０ａと密着するので遮光性も損なわない。
【００４１】
＜レンズ鏡筒１００を用いた撮像装置について＞
次に、撮像装置について説明する。
【００４２】
撮像装置は、上述したレンズ鏡筒１００と、このレンズ鏡筒１００を保持する撮像装置本体とを備えている。具体的な撮像装置としては、ＣＣＤやＣＭＯＳセンサ等の撮像素子２６０を用いたデジタルスチルカメラやビデオムービー等が挙げられる。これらのデジタルスチルカメラやビデオムービーには、被写体の光学像を撮像素子２６０に結像させるために、上述したレンズ鏡筒１００を取り付けている。
【００４３】
＜一実施の形態のまとめ＞
本発明によれば、第１移動鏡筒１２０ａと第２移動鏡筒１２０ｂの隙間および第２移動鏡筒１２０ｂと第３移動鏡筒１２０ｃの隙間に配置した遮光部品１２１を有するので、隙間から入射する光を遮光できる。
【００４４】
特に、遮光部品１２１は、外周層よりも内周層をより弾性力のある部材で形成しているので、遮光部品１２１が第１移動鏡筒１２０ａや第２移動鏡筒１２０ｂに擦れて変形したり、その表面の粗さが粗かったりしても、内周層が第１移動鏡筒１２０ａや第２移動鏡筒１２０ｂに適度に密着するので遮光性が損なわれない。また、内周層にはスリット２７０を設けていないので、スリット２７０の隙間から遮光性が損なわれることもない。
【００４５】
さらに、外周層には光軸方向に対して同方向または斜め方向に切断したスリット２７０を設けているので、遮光部品１２１は径方向に広げることができる。すなわち、第１移動鏡筒１２０ａや第２移動鏡筒１２０ｂの外径よりも遮光部品１２１の内周径を小さくしておけば、遮光部品１２１の内周層を第１移動鏡筒１２０ａや第２移動鏡筒１２０ｂの外周に的確に密着させて遮光性を向上できる。
【００４６】
また、内周層である遮光リング１２２は、径方向の幅よりも光軸方向の幅を大きくしているので、この内周層が第１移動鏡筒１２０ａや第２移動鏡筒１２０ｂに的確に密着するので遮光性が損なわれない。
【００４７】
また、遮光リング１２２と第１移動鏡筒１２０ａや第２移動鏡筒１２０ｂの密着性をよくするために遮光リング１２２の硬度を下げて軟らかくし過ぎると、第１移動鏡筒１２０ａや第２移動鏡筒１２０ｂの摺動に引きずられて、遮光リング１２２が鏡筒外部にはみ出してしまう可能性がある。しかし、遮光部品１２１は、外周層は補強板１２３としているので、第１移動鏡筒１２０ａや第２移動鏡筒１２０ｂの摺動の際、第２移動鏡筒１２０ｂの先端部や第２化粧リング１２６ｂや、第３移動鏡筒１２０ｃの先端部や第３化粧リング１２６ｃに補強板１２３が接触しても、補強板１２３はほとんど変形しない。よって、遮光リング１２２が鏡筒外部にはみ出すリスクを低減できる。
【００４８】
また、スリット２７０は、遮光部品１２１の外周層から内周層まで貫通させ、光軸方向に対して斜め方向に切断して設けてもよい。この場合、第１移動鏡筒１２０ａや第２移動鏡筒１２０ｂの摺動に与える負荷を下げることができる。さらに、遮光部品１２１の接触部より入射され直進する不要・有害光線を遮ることができる。
【００４９】
また、遮光部品１２１のスリット２７０は、光軸方向と同方向または光軸方向に対して斜め方向に設けているが、その形状は、直線形状の他に、階段形状でもよい。さらに、光軸方向と同方向に、スリット２７０を内周層に設けた場合、内周層は径方向の幅よりも光軸方向の幅を大きくしているので、光軸方向の幅が大きい分だけ、遮光性が損なわれにくい。
【産業上の利用可能性】
【００５０】
本発明は、デジタルスチルカメラやビデオムービーに適用可能である。
【符号の説明】
【００５１】
１００    レンズ鏡筒
１１０    固定鏡筒
１２０    移動鏡筒
１２０ａ    第１移動鏡筒
１２０ｂ    第２移動鏡筒
１２０ｃ    第３移動鏡筒
１２１    遮光部品
１２２    遮光リング
１２３    補強板
１２６ｂ    第２化粧リング
１２６ｃ    第３化粧リング
１３０ａ    第１レンズ枠
１３０ｂ    第２レンズ枠
１３０ｃ    第３レンズ枠
１４０ａ    第１レンズ群
１４０ｂ    第２レンズ群
１４０ｃ    第３レンズ群
１５０    バリアユニット
１５０ａ    開閉羽
１６０    カメラカム枠
１７０    直進枠
１８０    シャッターユニット
１８０ａ    シャッター
１８５    手ブレ補正機構
２１０    駆動枠
２２０    貫通カム枠
２３０    固定枠
２５０    ＩＲカットガラス
２６０    撮像素子
２７０    スリット
【図１】
2011145373.tif 000003
【図２】
2011145373.tif 000004
【図３】
2011145373.tif 000005
【図４Ａ】
2011145373.tif 000006
【図４Ｂ】
2011145373.tif 000007
【図５】
2011145373.tif 000008
【図６】
2011145373.tif 000009
【図７Ａ】
2011145373.tif 000010
【図７Ｂ】
2011145373.tif 000011
【図８】
2011145373.tif 000012